(57)【要約】【課題】所望の機能を発揮させんとする際の操作を容易に行なうことが出来る信号再生装置を提供する。【解決手段】本発明に係る信号再生装置においては、１つの特殊機能ボタン６が装置本体に配備されており、マイクロコンピュータ３の内蔵メモリには、特殊機能ボタン６が操作されたときに発揮すべき機能を表わす複数の機能情報が格納されている。マイクロコンピュータ３は、記録メディアが装填されている状態で、内蔵メモリに格納されている複数の機能情報の中から該記録メディアに記録されている管理情報に含まれる機能特定情報に応じた機能情報を特定し、この状態で特殊機能ボタン６が操作されたとき、特定した機能情報に応じた動作を実行する。【選択図】      図１
2004272963.tif 000002
【特許請求の範囲】
【請求項１】
記録メディアの装填が可能であって、記録メディアに記録されている信号及び該信号の管理情報を再生することが可能な信号再生装置において、
１或いは複数の操作ボタンと、
前記１或いは複数の操作ボタンが操作されたときに発揮すべき機能を表わす複数の機能情報が格納されている機能情報格納手段と、
記録メディアが装填されている状態で、各操作ボタンについて、前記機能情報格納手段に格納されている複数の機能情報の中から該記録メディアに記録されている管理情報に含まれる機能特定情報に応じた機能情報を特定する機能特定手段と、
前記記録メディアが装填されている状態で、前記１或いは複数の操作ボタンの内、何れか１つの操作ボタンが操作されたとき、該操作ボタンについて前記特定された機能情報に応じた動作を実行する動作実行手段
とを具えていることを特徴とする信号再生装置。
【請求項２】
前記機能特定情報は複数のパラメータから構成されており、前記機能特定手段は、これら複数のパラメータに基づいて機能情報を特定する請求項１に記載の信号再生装置。
【請求項３】
前記管理情報には、動作パラメータと該動作パラメータの値に応じて所定動作を実行するプログラムとが含まれており、更に、
動作パラメータを格納するパラメータ格納手段と、
記録メディアが装填されている状態で、該記録メディアに記録されている管理情報に含まれる動作パラメータを前記格納手段に格納する格納処理手段
とを具え、前記動作実行手段は、１つの操作ボタンが操作されたとき、前記格納手段に格納されている動作パラメータを書き換える動作を実行し、前記プログラムは、格納手段に格納されている動作パラメータの値に応じて所定動作を実行する請求項１又は請求項２に記載の信号再生装置。
【請求項４】
更に、情報表示装置と、前記機能特定手段によって機能情報が特定されたときに該機能情報が表わす機能を情報表示装置に表示する表示制御手段とを具えている請求項１乃至請求項３の何れかに記載の信号再生装置。
【発明の詳細な説明】
【０００１】
【発明の属する技術分野】
本発明は、ＤＶＤやＣＤ等の記録メディアの装填が可能な信号再生装置に関するものである。
【０００２】
【従来の技術】
従来、ＤＶＤプレーヤは種々の機能を有しており、これらの機能は、プレーヤ本体に配備された複数の操作ボタンを操作することによって発揮される。或いは、プレーヤ本体に配備されたディスプレイにメニュー画面を表示させて、該画面に表示された操作ボタンを選択することによって発揮される。
ところで、ディスクに記録されているソフトウエアの内容によっては、プレーヤに特殊な再生機能を持たせることがある。例えば、出願人は、教育用プログラムが記録されているＣＤを特殊再生することが可能なディスク再生装置を提案している（特許文献１参照）。
この様な特殊機能を有するＤＶＤプレーヤの構成としては、特殊機能毎に操作ボタンをプレーヤ本体に配備する構成や、特殊機能毎に操作ボタンをディスプレイに表示する構成が考えられる。
【０００３】
【特許文献１】
特開平８−１８０６４９号公報
【０００４】
【発明が解決しようとする課題】
しかしながら、特殊機能毎に操作ボタンをプレーヤ本体に配備する構成及び特殊機能毎に操作ボタンをディスプレイに表示する構成の何れの構成においても、所望の機能を発揮させんとする際には、多数の操作ボタンの中から所望の機能に割り当てられた操作ボタンを選択しなければならない問題がある。
本発明の目的は、所望の機能を発揮させんとする際の操作を容易に行なうことが出来る信号再生装置を提供することである。
【０００５】
【課題を解決する為の手段】
ところで、ＤＶＤの規格として、ナビゲーションデータと称される管理情報をビデオデータ及びオーディオデータと共にＤＶＤに記録する規格が知られている。該規格によれば、ゼネラルパラメータと称される１６個のパラメータを使用することが可能であって、これらのゼネラルパラメータの設定、演算、比較等を行なうナビゲーションコマンドをナビゲーションデータとしてＤＶＤに記録することが可能である。
そこで、本発明者らは、上記問題を解決すべく鋭意研究を行なった結果、ゼネラルパラメータを用いて１或いは複数の操作ボタンの機能を切り換えることに想到し、本発明の完成に至った。
【０００６】
本発明に係る信号再生装置は、記録メディアの装填が可能であって、記録メディアに記録されている信号及び該信号の管理情報を再生することが可能である。そして、該信号再生装置は、特徴的構成において、
１或いは複数の操作ボタンと、
前記１或いは複数の操作ボタンが操作されたときに発揮すべき機能を表わす複数の機能情報が格納されている機能情報格納手段と、
記録メディアが装填されている状態で、各操作ボタンについて、前記機能情報格納手段に格納されている複数の機能情報の中から該記録メディアに記録されている管理情報に含まれる機能特定情報に応じた機能情報を特定する機能特定手段と、
前記記録メディアが装填されている状態で、前記１或いは複数の操作ボタンの内、何れか１つの操作ボタンが操作されたとき、該操作ボタンについて前記特定された機能情報に応じた動作を実行する動作実行手段
とを具えている。
【０００７】
上記本発明に係る信号再生装置においては、１或いは複数の操作ボタンが操作されたときに発揮すべき機能を表わす複数の機能情報が機能情報格納手段に格納されており、記録メディアが装填されている状態で、各操作ボタンについて前記複数の機能情報の中から該記録メディアに記録されている管理情報に含まれる機能特定情報に応じた機能情報が特定される。そして、前記１或いは複数の操作ボタンの内、何れか１つの操作ボタンが操作されたとき、該操作ボタンについて特定された機能情報に応じた動作が実行される。
この様に、記録メディアに記録されている機能特定情報に応じて１或いは複数の操作ボタンの機能を切り換えることが出来るので、機能毎に操作ボタンを装置本体に配備する必要はない。従って、装置本体に配備される操作ボタンの数は少なく、所望の機能を発揮させんとする際には、操作ボタンに対する操作を容易に行なうことが出来る。
又、記録メディアを装置本体に装填すれば、自動的に操作ボタンの機能が切り換えられるので、操作ボタンの機能を切り換えるための操作は不要である。
【０００８】
具体的には、前記機能特定情報は複数のパラメータから構成されており、前記機能特定手段は、これら複数のパラメータに基づいて機能情報を特定する。
【０００９】
上記具体的構成においては、機能情報の特定に複数のパラメータの組合せを利用するので、多数の機能情報を格納手段に格納した場合であっても、これら多数の機能情報の中から１つの機能情報を特定することが出来る。多数の機能情報を格納手段に格納しておけば、１或いは複数の操作ボタンの機能を多数の機能の間で切り換えることが出来る。
【００１０】
又、具体的には、前記管理情報には、動作パラメータと該動作パラメータの値に応じて所定動作を実行するプログラムとが含まれており、更に、
動作パラメータを格納するパラメータ格納手段と、
記録メディアが装填されている状態で、該記録メディアに記録されている管理情報に含まれる動作パラメータを前記格納手段に格納する格納処理手段
とを具え、前記動作実行手段は、１つの操作ボタンが操作されたとき、前記格納手段に格納されている動作パラメータを書き換える動作を実行し、前記プログラムは、格納手段に格納されている動作パラメータの値に応じて所定動作を実行する。
【００１１】
上記具体的構成においては、記録メディアに、管理情報として動作パラメータと該動作パラメータの値に応じて所定動作を実行するプログラムとが記録されている。
記録メディアが装填されている状態で、格納処理手段によって、該記録メディアに記録されている管理情報に含まれる動作パラメータがパラメータ格納手段に格納され、その後、１つの操作ボタンが操作される度に、動作実行手段によって、パラメータ格納手段に格納されている動作パラメータが書き換えられる。そして、記録メディアに記録されているプログラムによって、パラメータ格納手段に格納されている動作パラメータの値に応じて所定動作が実行される。
上記具体的構成によれば、実現せんとする所望の機能に応じた動作を実行するプログラムを記録メディアに記録しておくことによって、信号再生装置に搭載されているプログラムを変更することなく所望の機能を実現することが出来る。
【００１２】
更に具体的には、情報表示装置と、前記機能特定手段によって機能情報が特定されたときに該機能情報が表わす機能を情報表示装置に表示する表示制御手段とを具えている。
【００１３】
上記具体的構成においては、１或いは複数の操作ボタンの機能が情報表示装置に表示されるので、ユーザは、１或いは複数の操作ボタンに対して操作を行なう前にこれらの操作ボタンの機能を知ることが出来る。
【００１４】
【発明の効果】
本発明に係る信号再生装置によれば、所望の機能を発揮させんとする際の操作を容易に行なうことが出来る。
【００１５】
【発明の実施の形態】
以下、本発明を教育向けのＤＶＤプレーヤに実施した形態につき、図面に沿って具体的に説明する。
先ず、ＤＶＤの規格について説明し、その後、本発明に係るＤＶＤプレーヤの構成及び動作について説明する。尚、ＤＶＤには、１或いは複数のタイトルが記録され、１つのタイトルは複数のチャプターによって構成される。
ＤＶＤには、図２に示す如く、ボリューム及びファイル構造の記録領域と、ＤＶＤビデオゾーンと、ＤＶＤアザーゾーンとが設けられており、ボリューム及びファイル構造の記録領域には、ディスクのファイル構造を規定するデータや、記述子と称されるデータが記録され、記述子に含まれるボリュームセット識別子がディスクの識別に利用される。
【００１６】
ＤＶＤビデオゾーンには、１つのビデオマネージャ（ＶＭＧ）と、１或いは複数のビデオタイトルセット（ＶＴＳ）とが記録される。
ＶＭＧは、ビデオマネージャ情報（ＶＭＧＩ）、ＶＭＧメニュー用ビデオオブジェクトセット（ＶＭＧＭ＿ＶＯＢＳ）、及びＶＭＧＩのバックアップデータから構成される。ＶＭＧＩは、ＤＶＤビデオゾーン全体の管理情報、例えばＤＶＤビデオゾーンに記録される１或いは複数のＶＴＳの先頭アドレスから構成され、ＶＭＧＭ＿ＶＯＢＳは、タイトルメニューの画像データ及び音声データから構成される。
【００１７】
一方、各ＶＴＳは、ビデオタイトルセット情報（ＶＴＳＩ）、ＶＴＳメニュー用ビデオオブジェクトセット（ＶＴＳＭ＿ＶＯＢＳ）、タイトル用ビデオオブジェクトセット（ＶＴＳＴＴ＿ＶＯＢＳ）、及びＶＴＳＩのバックアップデータから構成される。
ＶＴＳＭ＿ＶＯＢＳは、１或いは複数のサブメニューの画像データ及び音声データから構成される。又、ＶＴＳＴＴ＿ＶＯＢＳは、１つのタイトルを構成するメイン映像データ及びメイン音声データ、例えば１本の映画を構成する映像及び音声の実データから構成され、ＶＴＳＩは、該タイトルの管理情報、例えば、タイトルの再生時間、ＶＴＳを構成する後述のセルの再生時間及び先頭アドレス、各チャプターを構成する先頭セルのセル番号等から構成される。
【００１８】
ＶＴＳＴＴ＿ＶＯＢＳは、図３に示す如く、１或いは複数のビデオオブジェクト（ＶＯＢ）から構成され、各ＶＯＢは、１或いは複数のセル（Ｃ）から構成される。
各セル（Ｃ）は、１或いは複数のビデオオブジェクトユニット（ＶＯＢＵ）から構成され、各ＶＯＢＵは、後述の１つのナビゲーションパック（ＮＶ＿ＰＣＫ）、複数のビデオデータ（Ｖ＿ＰＣＫ）、複数のオーディオデータ（Ａ＿ＰＣＫ）、及び字幕データ等からなる複数のサブピクチャデータ（ＳＰ＿ＰＣＫ）から構成される。尚、１つのＶＯＢＵに含まれる複数のビデオデータによって、１ＧＯＰ（Ｇｒｏｕｐ  Ｏｆ  Ｐｉｃｔｕｒｅｓ）が構成される。
ナビゲーションパックＮＶ＿ＰＣＫは、ＶＯＢＵの管理情報、例えばＶＯＢＵの属するセルの先頭から該ＶＯＢＵの先頭までの再生時間や、該ＶＯＢＵの１つ前及び１つ後ろに位置するＶＯＢＵの先頭アドレス等から構成される。尚、該ナビゲーションパック、図２に示すＶＭＧＩ及びＶＴＳＩが、ナビゲーションデータと総称される。
【００１９】
本発明に係るＤＶＤプレーヤは、図１に示す如くＤＶＤを駆動してＤＶＤに記録されている情報を再生するドライブ装置（１）と、ドライブ装置（１）から得られるビットストリームからビデオデータ及びオーディオデータとナビゲーションデータとを分離して、ビデオデータ及びオーディオデータをデコードして出力するＭＰＥＧデコード回路（２）と、ナビゲーションデータに応じてドライブ装置（１）及びＭＰＥＧデコード回路（２）の動作を制御するマイクロコンピュータ（３）とを具え、マイクロコンピュータ（３）には、種々の情報を表示するためのディスプレイ（４）が接続されると共に、１或いは複数の操作ボタンからなる操作ボタン群（５）が接続されている。
又、マイクロコンピュータ（３）には、後述の１０個の機能１〜１０の間で機能を切り換えることが可能な１つの特殊機能ボタン（６）が接続されている。
【００２０】
上述のＤＶＤ規格によれば、ゼネラルパラメータと称される１６ビット長の１６個のパラメータＧＰＲＭ１〜１６を使用することが可能であって、図２に示すＶＴＳＩには、これらのゼネラルパラメータの設定、演算、比較等を行なうナビゲーションコマンドを含めることが可能である。
そこで、本発明に係るＤＶＤプレーヤにおいては、１６個のゼネラルパラメータの内、２つのゼネラルパラメータＧＰＲＭ１４、１５が、特殊機能ボタン（６）の機能の切換えに利用されている。
【００２１】
上記マイクロコンピュータ（３）の内蔵メモリ（図示省略）には、後述の機能割当てプログラムが格納されると共に、図４に示す機能割当てテーブルが格納されている。図中の機能１〜１０には夫々、次の機能が割り当てられている。尚、機能１〜１０には、次の機能に限らず、その他の種々の機能を割り当てることが可能である。
機能１
音声出力と字幕表示を切り換える機能
機能２
再生中のチャプターを１回のみリピート再生するリピート再生動作のオン／オフを切り換える機能
機能３
１つのタイトルを構成する複数のチャプターをランダムに再生するランダム再生動作のオン／オフを切り換える機能
機能４
再生画像のアングルを切り換える機能
機能５
画像を拡大表示するズーム表示動作のオン／オフを切り換える機能
機能６
第Ｍ番目のタイトルの第Ｎ番目のチャプターを再生する機能
機能７
再生中のチャプターを複数回リピート再生するリピート再生動作のオン／オフを切り換える機能
機能８
音声の再生モードを通常再生モードと低速再生モードとの間で切り換える機能機能９
再生位置のアドレスを頭出しアドレスとして内蔵メモリ或いはＤＶＤに記録するマーカー動作を実行する機能
機能１０
再生中のチャプターの数秒間分をリピート再生するリピート再生動作のオン／オフを切り換える機能
【００２２】
例えば特殊機能ボタン（６）の機能として上述の機能１が割り当てられているタイトルについてのＶＴＳＩには、ナビゲーションコマンドとしてゼネラルパラメータＧＰＲＭ１４、１５の設定コマンドが含まれている。
図５は、該ゼネラルパラメータ設定コマンドにより、タイトルの再生に先立って実行される手続きを表わしており、先ずステップＳ１にて、ゼネラルパラメータＧＰＲＭ１４の値を所定値“０ｘ４５９８”に設定してマイクロコンピュータ（３）の内蔵メモリに格納した後、ステップＳ２にて、ゼネラルパラメータＧＰＲＭ１５の値を図４に示す如く機能１に割り当てられた所定値“０ｘｂａ６７”に設定して前記内蔵メモリに格納し、手続きを終了する。
【００２３】
図６は、マイクロコンピュータ（３）の内蔵メモリに格納されている機能割当てプログラムによって実行される手続きを表わしており、ユーザによって特殊機能ボタン（６）が押下されると、先ずステップＳ１１では、内蔵メモリに格納されているゼネラルパラメータＧＰＲＭ１４の値が“０ｘ４５９８”であるか否かを判断し、ノーと判断された場合は手続きを終了する。
一方、ステップＳ１１にてイエスと判断された場合には、ステップＳ１２に移行して、内蔵メモリに格納されているゼネラルパラメータＧＰＲＭ１４の値とＧＰＲＭ１５の値の排他的論理和が０〜９の何れかの値であるか否かを判断し、ノーと判断された場合は手続きを終了する。
ゼネラルパラメータＧＰＲＭ１４の値とＧＰＲＭ１５の値の排他的論理和が０〜９の値である場合にはそれぞれ、ステップＳ１３〜２２２にて機能１〜１０を実現するための処理を実行して、手続きを終了する。
上記手続きによって、ゼネラルパラメータＧＰＲＭ１４、１５の値に応じて特殊機能ボタン（６）の機能がタイトル毎に切り換えられることになる。
【００２４】
又、本発明に係るＤＶＤプレーヤにおいては、上述の１６個のゼネラルパラメータの内、１つのゼネラルパラメータＧＰＲＭ１３が、特殊機能ボタン（６）の機能を実現するために利用されている。
例えば特殊機能ボタン（６）の機能として上述の機能２が割り当てられているタイトルについてのＶＴＳＩには、ナビゲーションコマンドとして、上述の如くゼネラルパラメータＧＰＲＭ１４、１５の値をそれぞれ所定値に設定すると共にゼネラルパラメータＧＰＲＭ１３の値を初期化する設定コマンドと、ゼネラルパラメータＧＰＲＭ１３の値に応じて所定動作を実行する動作実行コマンドが含まれている。
一方、マイクロコンピュータ（３）の内蔵メモリには、ゼネラルパラメータＧＰＲＭ１３の値を書き換えるプログラムが格納されている。
【００２５】
以下、特殊機能ボタン（６）の機能として機能２が割り当てられているタイトルの再生前及び再生時に実行される手続きについて説明する。
図７は、ゼネラルパラメータ設定コマンドにより、タイトルの再生に先立って実行される手続きを表わしており、先ずステップＳ３１にて、ゼネラルパラメータＧＰＲＭ１４の値を所定値“０ｘ４５９８”に設定して内蔵メモリに格納した後、ステップＳ３２では、ゼネラルパラメータＧＰＲＭ１５の値を図４に示す如く機能２に割り当てられた値“０ｘｂａ６６”に設定して内蔵メモリに格納し、最後にステップＳ３３にてゼネラルパラメータＧＰＲＭ１３の値を初期値“０ｘ００００”に設定して内蔵メモリに格納し、手続きを終了する。
【００２６】
図８は、ゼネラルパラメータ書換えプログラムにより、図６のステップＳ１４にて実行される手続きを表わしており、先ずステップＳ４１にて、内蔵メモリに格納されているゼネラルパラメータＧＰＲＭ１３の値が“０ｘ００００”であるか否かを判断し、ノーと判断された場合には、ステップＳ４２にて前記ゼネラルパラメータＧＰＲＭ１３の値を“０ｘ００００”に書き換えて手続きを終了する。一方、ステップＳ４１にてイエスと判断された場合には、ステップＳ４３にて前記ゼネラルパラメータＧＰＲＭ１３の値を“０ｘｆｆｆｆ”に書き換えて手続きを終了する。
上記手続きによって、ユーザにより特殊機能ボタン（６）が押下される度にゼネラルパラメータＧＰＲＭ１３の値が書き換えられることになる。
【００２７】
図９は、動作実行コマンドにより、タイトルを構成する各チャプターの再生終了時に実行される手続きを表わしており、先ずステップＳ５１にて、内蔵メモリに書き込まれているゼネラルパラメータＧＰＲＭ１３の値が“０ｘ００００”であるか否かを判断し、ノーと判断された場合にはステップＳ５２に移行して、前記ゼネラルパラメータＧＰＲＭ１３の値を“０ｘ００００”に書き換えた後、ステップＳ５３にて再生中のチャプターの先頭へジャンプして手続きを終了する。
一方、ステップＳ５１にてイエスと判断された場合には、ステップＳ５４に移行して、再生中のチャプターの次のチャプターの先頭へジャンプして手続きを終了する。
上記手続きによれば、再生中のチャプターの終了時にゼネラルパラメータＧＰＲＭ１３の値が“０ｘ００００”である場合には、該チャプターの次のチャプターの再生が開始される一方、ゼネラルパラメータＧＰＲＭ１３の値が“０ｘｆｆｆｆ”である場合には、再生が終了したチャプターの再生が開始されることになる。
【００２８】
本発明に係るＤＶＤプレーヤにおいては、上述の１０個の機能を発揮させるための操作ボタンとして１つの特殊機能ボタン（６）が配備されており、上述の如く、タイトルの再生に先立って特殊機能ボタン（６）の機能がタイトルに応じた機能に切り換えられる。従って、再生中のタイトルに応じた所望の機能を発揮させんとする際には特殊機能ボタン（６）を押下するだけでよく、かかる操作を容易に行なうことが出来る。
又、タイトルの再生に先立って自動的に特殊機能ボタン（６）の機能が切り換えられるので、機能を切り換えるための操作は不要である。
更に、実現せんとする所望の機能に応じた動作をゼネラルパラメータＧＰＲＭ１３の値に応じて実行するコマンドをナビゲーションコマンドとしてＤＶＤに記録しておくことによって、マイクロコンピュータ（３）の内蔵メモリに格納されているプログラムを変更することなく所望の機能を実現することが出来る。
【００２９】
尚、本発明の各部構成は上記実施の形態に限らず、特許請求の範囲に記載の技術的範囲内で種々の変形が可能である。
例えば、特殊機能ボタン（６）に割り当てられている機能をディスプレイ（４）に表示する構成や、プレーヤ本体にＬＥＤを配備して、特殊機能ボタン（６）に機能が割り当てられている場合に限って該ＬＥＤを点灯する構成を採用することが可能である。
又、複数の特殊機能ボタンをプレーヤ本体に配備する構成を採用することも可能である。
【図面の簡単な説明】
【図１】本発明を実施したＤＶＤプレーヤの構成を表わすブロック図である。
【図２】ＤＶＤに記録されているビットストリームのデータ構造を表わす図である。
【図３】上記ビットストリームに含まれるタイトル用ビデオオブジェクトセットのデータ構造を表わす図である。
【図４】機能割当てテーブルの一例を表わす図表である。
【図５】ゼネラルパラメータ設定コマンドによって実行される手続きの一例を表わすフローチャートである。
【図６】機能割当てプログラムによって実行される手続きを表わすフローチャートである。
【図７】ゼネラルパラメータ設定コマンドによって実行される手続きの他の一例を表わすフローチャートである。
【図８】ゼネラルパラメータ書換えプログラムによって実行される手続きを表わすフローチャートである。
【図９】動作実行コマンドによって実行される手続きを表わすフローチャートである。
【符号の説明】
（１）  ドライブ装置
（２）  ＭＰＥＧデコード回路
（３）  マイクロコンピュータ
（４）  ディスプレイ
（５）  操作ボタン群
（６）  特殊機能ボタン
【図１】
2004272963.tif 000003
【図２】
2004272963.tif 000004
【図３】
2004272963.tif 000005
【図４】
2004272963.tif 000006
【図５】
2004272963.tif 000007
【図６】
2004272963.tif 000008
【図７】
2004272963.tif 000009
【図８】
2004272963.tif 000010
【図９】
2004272963.tif 000011